(57)【要約】【課題】部品点数および組み付け工数が低減され、機能部品の緩みが防止される吸気装置およびその製造方法を提供する。【解決手段】吸気管１１を構成する半中空部材３０および半中空部材４０が形成する充填部５１に充填される二次成形樹脂は、一部が第一穴部３２および第二穴部２３を経由して外部にオーバーフローする。オーバーフローする二次成形樹脂により、胴部６１、第一首部６２および第一頭部６３を有する係止形状部６０が形成される。これにより、機能部品２０は吸気管１１に取り付けられる。胴部６１は半中空部材３０および半中空部材４０の内壁と溶着することにより、半中空部材３０と半中空部材４０とを接合する。したがって、締結部材を用いることなく、機能部品２０を吸気管１１に取り付けることができる。また、係止形状部６０は吸気管１１を構成する半中空部材３０および半中空部材４０と溶着しているため、緩みが防止される。【選択図】    図１
2004245102.tif 000002
【特許請求の範囲】
【請求項１】
分割された複数の一次成形部材から形成され、前記複数の一次成形部材の接合部に二次成形樹脂を充填可能な充填部を形成する筒状部と、
前記筒状部に取り付けられ、前記筒状部と重ねられる腕部を有する機能部品と、
前記二次成形樹脂により一体に形成され、前記充填部を形成する前記一次成形部材と溶着する胴部、前記胴部の外径よりも小径に形成され前記胴部から前記充填部の径方向外側へ前記一次成形部材および前記腕部を貫く第一首部、ならびに前記第一首部の反胴部側に接続され前記第一首部の外径よりも大径に形成されている第一頭部を有する係止形状部と、
を備えることを特徴とする吸気装置。
【請求項２】
前記係止形状部は、前記胴部から前記第一首部とは所定の角度を形成しつつ伸びて形成され前記一次成形部材を貫く第二首部、ならびに前記第二首部の反胴部側の端部に接続され前記第二首部の外径よりも大径に形成されている第二頭部を有することを特徴とする請求項１記載の吸気装置。
【請求項３】
前記第一首部と前記第二首部とがなす角度は、概ね１８０°であることを特徴とする請求項２記載の吸気装置。
【請求項４】
前記一次成形部材は前記充填部と外部とを連通する第一穴部を有し、前記腕部は前記第一穴部と接続可能な第二穴部を有し、前記第一首部は前記第一穴部および前記第二穴部を貫いていることを特徴とする請求項１、２または３記載の吸気装置。
【請求項５】
分割された複数の一次成形部材から形成されている筒状部と、前記筒状部に設置される機能部品とを備える吸気装置の製造方法であって、
前記複数の一次成形部材の接合部に充填する二次成形樹脂により前記機能部品を前記筒状部に接合することを特徴とする吸気装置の製造方法。
【請求項６】
前記一次成形部材の前記接合部から前記筒状部の外側にオーバーフローされる前記二次成形樹脂により、前記機能部品を前記筒状部に接合することを特徴とする請求項５記載の吸気装置の製造方法。
【請求項７】
前記機能部品の反筒状部側に、前記二次成形樹脂による係止形状部を形成するための治具を当接させることを特徴とする請求項６記載の吸気装置の製造方法。
【発明の詳細な説明】
【０００１】
【発明の属する技術分野】
本発明は、内燃機関（以下、内燃機関を「エンジン」という。）の吸気装置およびその製造方法に関し、特に例えば吸気管などの筒状部に機能部品を固定する吸気装置およびその製造方法に関する。
【０００２】
【従来の技術】
従来、吸気装置において筒状に形成される吸気管は、例えば中心軸に沿った面で分割された複数の半中空部材を接合することにより形成されている。吸気装置の場合、吸気管には例えばエアフロメータなどの機能部品が設置される。機能部品は、例えばタッピングスクリューやボルトなどの締結部材により筒状部に取り付けられる。しかし、締結部材は、吸気装置が取り付けられるエンジンの振動などにともなって筒状部が振動すると、徐々に緩みが生じる。そのため、例えば特許文献１に開示されている技術では、二つのタッピングスクリューを結ぶ直線をＯリングの中心線からずらすことにより、振動にともなうタッピングスクリューの緩みを防止している。
【０００３】
【特許文献１】
特開平２０００−２５７６１２号公報
【０００４】
【発明が解決しようとする課題】
しかしながら、吸気管などの筒状部には、エアフロメータに限らず、その他のセンサやアクチュエータなど複数の機能部品が設置される。そのため、機能部品の増加にともなって、これらを固定するための締結部材の数が増加する。その結果、部品点数、ならびに締結部材の組み付け工数の増大を招くという問題がある。また、締結部材によって取り付けられる機能部品の緩みを長期間にわたり防止することは困難である。
【０００５】
そこで、本発明の目的は、部品点数および組み付け工数が低減され、機能部品の緩みが防止される吸気装置およびその製造方法を提供することにある。
【０００６】
【課題を解決するための手段】
本発明の請求項１記載の吸気装置によると、係止形状部は胴部と第一頭部との間に機能部品の腕部を挟み込んでいる。機能部品は、係止形状部に挟み込まれることにより、筒状部に取り付けられる。係止形状部は、複数の一次成形部材の接合部に充填される二次成形樹脂により形成されている。そのため、一次成形部品は二次成形樹脂により溶着されるともに、機能部品は一次成形部材から形成される筒状部に取り付けられる。すなわち、一次成形部材の溶着と機能部品の取付とを二次成形樹脂の充填により同時に実施することができる。これにより、例えばタッピングスクリューなどの締結部材を用いることなく機能部品は筒状部に取り付けられる。したがって、部品点数および組み付け工数を低減することができ、機能部品の緩みを防止することができる。
【０００７】
本発明の請求項２または３記載の吸気装置によると、係止形状部は胴部から伸びる第一首部および第二首部を有している。そのため、例えば第一首部と第二首部とがなす角度を概ね１８０°とすると、第一頭部と第二頭部との間に筒状部ならびに機能部品の腕部が挟み込まれる。したがって、機能部品を筒状部へ強固に取り付けることができる。
【０００８】
本発明の請求項４記載の吸気装置によると、一次成形部材は充填部と外部とを連通する第一穴部を有している。本来、一次成形部材の接合部に二次成形樹脂を充填して溶着する場合、二次成形樹脂は一次成形部材によって形成される閉じた充填部に充填される。しかし、一次成形部材が形成する充填部に二次成形樹脂を充填する場合であっても、一次成形部材には充填部に存在する空気を排出するために外部へ連通する穴が形成されている。そして、充填部に存在する空気とともに、充填される二次成形樹脂の一部を外部にオーバーフローさせている。そこで、請求項４記載の吸気装置では、充填部と外部とを連通する第一穴部と機能部品の腕部を貫く第二穴部とを接続している。そして、充填部に充填される二次成形樹脂の一部を空気ととも第一穴部および第二穴部を経由してオーバーフローさせることにより、腕部の反胴部側に第一頭部を形成する。したがって、一次成形部材の溶着と筒状部への機能部品の取り付けとは同時に実施され、組み付け工数を低減することができる。
【０００９】
本発明の請求項５記載の吸気装置の製造方法によると、機能部品は一次成形部品の接合部に充填する二次成形樹脂により機能部品が筒状部に接合される。これにより、機能部品は、例えばタッピングスクリューなどの締結部材を用いることなく筒状部に取り付けられる。さらに、機能部品は、一次成形部品の溶着と同時に筒状部に接合される。したがって、部品点数および組み付け工数を低減することができる。
【００１０】
本発明の請求項６記載の吸気装置の製造方法によると、機能部品は接合部から筒状部の外側にオーバーフローされる二次成形樹脂により筒状部に接合される。本来、一次成形部材の接合部に二次成形樹脂を充填して溶着する場合、二次成形樹脂は一次成形部材によって形成される閉じた充填部に充填される。しかし、一次成形部材が形成する充填部に二次成形樹脂を充填する場合であっても、一次成形部材には充填部に存在する空気を抜くために外部へ連通する穴が形成されている。そして、充填部に存在する空気とともに、二次成形樹脂の一部を外部にオーバーフローさせている。そこで、請求項６記載の吸気装置の製造方法では、この筒状部の外側にオーバーフローされる二次成形樹脂により筒状部と機能部品とを接合している。したがって、一次成形部材の溶着と筒状部への機能部品の取り付けとは同時に実施され、組み付け工数を低減することができる。
本発明の請求項７記載の吸気装置の製造方法によると、機能部品の反筒状部側には治具が当接する。これにより機能部品の反筒状部側には係止形状部を容易に形成することができる。
【００１１】
【発明の実施の形態】
以下、本発明の実施の形態を示す複数の実施例を図面に基づいて説明する。
（第１実施例）
本発明の第１実施例による吸気装置を図１に示す。吸気装置１０は、筒状部としての吸気管１１および機能部品２０から構成されている。機能部品としては、例えばエアフロメータなどのセンサ類、あるいはスロットル装置などのアクチュエータなどが適用可能である。
【００１２】
吸気管１１は、一次成形部材としての半中空部材３０および半中空部材４０から構成されている。半中空部材３０および半中空部材４０は、それぞれ一次成形樹脂から形成されている。一次成形樹脂としては例えばポリアミド系の樹脂が用いられる。半中空部材３０および半中空部材４０は、接合することにより円筒状に形成される。半中空部材３０および半中空部材４０は、円筒状の吸気管１１を中心軸に沿って切断した略半円筒形状に成形されている。半中空部材３０および半中空部材４０は、図１および図２に示すようにそれぞれ径方向外側に突出して吸気管１１の中心軸に沿って伸びる縁部３１および縁部４１を有している。半中空部材３０および半中空部材４０は、縁部３１と縁部４１とを接合することにより一体の吸気管１１として形成される。一体となった半中空部材３０および半中空部材４０が形成する吸気管１１の内側は、吸気が流れる吸気通路１２となる。
【００１３】
半中空部材３０および半中空部材４０は、図３に示すように充填部５１を形成している。充填部５１は、図２に示すように吸気管１１の中心軸に沿って縁部３１、４１に形成されている。充填部５１には、図３に示すように半中空部材３０の縁部３１を貫いている第一穴部３２が連通している。第一穴部３２は、充填部５１の径方向外側へ向かって形成されている。第一穴部３２は、充填部５１と縁部３１の外側とを連通している。
【００１４】
機能部品２０は、本体２１および腕部２２を有している。腕部２２は、図１から図３に示すように本体２１から吸気管１１の中心軸側に伸びている。機能部品２０は、腕部２２を板厚方向に貫いている第二穴部２３を有している。第二穴部２３の内径は半中空部材３０の縁部３１に形成されている第一穴部３２の内径と概ね同一である。機能部品２０の腕部２２は、第二穴部２３と第一穴部３２とが接続するように半中空部材３０の縁部３１に重ねられる。
【００１５】
図１に示すように、半中空部材３０、半中空部材４０および機能部品２０は係止形状部６０により係止されている。係止形状部６０は、半中空部材３０と半中空部材４０とを溶着する二次成形樹脂により一体に形成されている。係止形状部６０は、胴部６１、第一首部６２および第一頭部６３を有している。胴部６１は、半中空部材３０および半中空部材４０が吸気管１１の中心軸方向へ形成する充填部５１に形成されている。第一首部６２は、半中空部材３０の縁部３１に形成されている第一穴部３２ならびに機能部品２０の腕部２２に形成されている第二穴部２３に形成されている。第一首部６２は、充填部５１に充填される二次成形樹脂が第一穴部３２および第二穴部２３を経由してオーバーフローすることにより充填部５１の径方向外側へ伸びて形成される。第一頭部６３は、第一首部６２の反胴部側の端部に接続されている。第一頭部６３は、外径が第一首部６２の外径すなわち第一穴部３２および第二穴部２３の内径よりも大きく形成されている。これにより、係止形状部６０は、胴部６１と第一頭部６３とにより半中空部材３０の縁部３１ならびに機能部品２０の腕部２２を挟持するリベット形状を有する。
【００１６】
次に、吸気装置１０の製造方法について説明する。
半中空部材３０および半中空部材４０は一次成形樹脂により一次成形される。半中空部材３０および半中空部材４０は、図４に示すように吸気管１１を中心軸に沿って分割した略半円筒形状に成形されている。一次成形された半中空部材３０および半中空部材４０は、縁部３１に形成されている凹凸部３３と、縁部４１に形成され凹凸部３３に対応する形状の凸凹部４２とがはめ合わせられる。これにより、半中空部材３０と半中空部材４０とは位置決めされつつ仮固定される。仮固定された半中空部材３０の縁部３１に機能部品２０が設置される。機能部品２０は、腕部２２に形成されている第二穴部２３が半中空部材３０の縁部３１に形成されている第一穴部３２と重なるように設置される。
【００１７】
機能部品２０が設置されると、機能部品２０の腕部２２、半中空部材３０および半中空部材４０は治具７１と治具７２とにより挟み込まれる。これにより、半中空部材３０、半中空部材４０および機能部品２０は治具７１および治具７２に挟持される。治具７１には、半中空部材３０側の端部に凹部７３が形成されている。凹部７３は、係止形状部６０の第一頭部６３の形状に対応している。
【００１８】
半中空部材３０、半中空部材４０および機能部品２０が治具７１および治具７２により挟持されると、二次成形樹脂が充填される。二次成形樹脂は、例えば一次成形樹脂と同様にポリアミド樹脂からなる。二次成形樹脂は、溶融された状態すなわち流動性を有する状態で充填部５１に吸気管１１の中心軸方向に沿って充填される。充填部５１に二次成形樹脂を充填することにより、充填部５１を形成する縁部３１および縁部４１の内壁は溶融する。例えば、二次成形樹脂として一次成形樹脂よりも融点の高い樹脂を適用することにより、充填部５１を形成する縁部３１および縁部４１の内壁は容易に溶融する。溶融した縁部３１および縁部４１の内壁と二次成形樹脂とはそれらの接触部において混ざり合い、二次成形樹脂の冷却にともなって溶着する。
【００１９】
充填部５１には空気が存在しているため、二次成形樹脂を充填部５１に充填する際に充填部５１の空気を排出する必要がある。すなわち、二次成形樹脂の一部を空気とともに充填部５１の外部へオーバーフローさせる必要がある。本実施例の場合、充填部５１に存在している空気は、充填部５１に連通する第一穴部３２および第二穴部２３を経由して治具７１側に排出される。そのため、充填部５１に充填される二次成形樹脂の一部は、図５に示すように充填部５１からオーバーフローし、第一穴部３２および第二穴部２３を経由して治具７１の凹部７３まで流入する。充填部５１から排出された空気は、例えば腕部２２と治具７１との境界または治具７１に形成されている穴などの空気抜き手段を介して外部に排出される。
【００２０】
二次成形樹脂の充填が完了すると、二次成形樹脂は硬化される。二次成形樹脂が硬化することにより、溶融した縁部３１および縁部４１の内壁と二次成形樹脂からなる係止形状部６０の胴部６１とは溶着し、半中空部材３０と半中空部材４０とは接合される。また、二次成形樹脂が硬化すると、充填部５１、第一穴部３２、第二穴部２３および凹部７３に対応する形状の係止形状部６０が成形される。係止形状部６０の胴部６１は、半中空部材３０および半中空部材４０と溶着し、半中空部材３０と半中空部材４０とを接合する。第一首部６２は第一穴部３２を形成する縁部３１の内壁と溶着している。なお、機能部品２０の腕部２２を二次成形樹脂よりも融点の低い樹脂で形成すると、第一首部６２と第二穴部２３を形成する腕部２２の内壁とは溶着する。第一穴部３２および第二穴部２３を経由して治具７１の凹部７３にオーバーフローした二次成形樹脂は、係止形状部６０の第一頭部６３を形成する。これにより、機能部品２０の腕部２２は半中空部材３０の縁部３１とともに係止形状部６０の胴部６１と第一頭部６３との間に挟み込まれる。
【００２１】
以上、説明した第１実施例では、吸気管１１を構成する半中空部材３０と半中空部材４０とを接合する際に、充填部５１に充填される二次成形樹脂を半中空部材３０の第一穴部３２だけでなく機能部品２０の第二穴部２３を経由してオーバーフローさせている。これにより、半中空部材３０と半中空部材４０とが二次成形樹脂により溶着されるだけでなく、機能部品２０は二次成形樹脂から形成される係止形状部６０によって吸気管１１に固定される。本来、吸気管１１のように一次成形部材を二次成形樹脂で溶着する場合、二次成形樹脂をオーバーフローさせるための穴部が必要である。また、吸気管１１には複数の機能部品２０を設置する必要がある。そこで、第１実施例では、二次成形樹脂を充填部５１からオーバーフローさせるための第一穴部３２に機能部品２０の第二穴部２３を接続するとともに、第二穴部２３の反第一穴部側に第二穴部２３の内径よりも外径が大きな第一頭部６３を成形している。これにより、半中空部材３０および半中空部材４０の接合と同時に機能部品２０は吸気管１１に取り付けられる。そのため、吸気管１１の形成と機能部品２０の取り付けとを別工程とする必要がない。したがって、作業工数を低減することができる。
【００２２】
第１実施例では、機能部品２０は二次成形樹脂によって形成される係止形状部６０によって吸気管１１に取り付けられるため、タッピングスクリューやボルトなどの締結部材は不要である。係止形状部６０は胴部６１において半中空部材３０および半中空部材４０と溶着し、第一首部６２において半中空部材３０と溶着している。すなわち、半中空部材３０および半中空部材４０と係止形状部６０との溶着力によって機能部品２０は吸気管１１に取り付けられている。そのため、タッピングスクリューやボルトなどの締結部材と異なり、吸気管１１の振動などによる緩みの発生が防止される。また、機能部品２０を係止形状部６０により吸気管１１に取り付けるため、取り付けられる機能部品２０の数が増大しても、第一穴部３２および第二穴部２３に相当する穴部を形成するだけでよい。そのため、締結部材を用いる場合と異なり、機能部品２０の数が増加しても部品の点数が増加することはない。
【００２３】
第１実施例では、係止形状部６０は胴部６１および第一頭部６３の外径に比較して第一首部６２の外径が小さく形成されている。第一首部６２の外径を小さくすることにより、胴部６１においては充填部５１を形成する半中空部材３０および半中空部材４０の内壁との接触面積が拡大する。そのため、胴部６１と半中空部材３０および半中空部材４０との溶着面積が拡大する。したがって、半中空部材３０と半中空部材４０とを強固に接合することができる。また、第一首部６２の外径を第一頭部６３よりも小さくすることにより、第一頭部６３においては機能部品２０の脱落が防止される。したがって、機能部品２０を吸気管１１に強固に取り付けることができる。
【００２４】
（第２実施例）
本発明の第２実施例による吸気装置を図６に示す。なお、第１実施例と実質的に同一の構成部位には同一の符号を付し、説明を省略する。
第２実施例の場合、図６に示すように係止形状部８０は胴部８１から伸びる第一首部８２および第一頭部８３に加え、第二首部８４および第二頭部８５を有している。すなわち、係止形状部６０は、胴部８１から第一首部８２および第一頭部８３とは異なる方向へ形成されている第二首部８４および第二頭部８５を有している。第２実施例では、第一首部８２と第二首部８４とは概ね１８０°をなしている。また、半中空部材４０には第二首部８４に対応する第三穴部４３が形成されている。
【００２５】
充填部５１に充填される二次成形樹脂は、充填部５１から第一首部８２側だけでなく第二首部８４側にもオーバーフローする。これにより、半中空部材３０および半中空部材４０は充填部５１の二次成形樹脂により接合されるだけでなく、半中空部材３０、半中空部材４０および機能部品２０は係止形状部８０の第一頭部８３および第二頭部８５により挟持される。
第２実施例では、第一首部８２とは異なる方向へ第二首部８４を形成することにより、半中空部材３０、半中空部材４０および機能部品２０をより強固に固定することができる。
【００２６】
第２実施例では、係止形状部８０を第一首部８２と第二首部８４とが概ね１８０°をなすように形成する例について説明した。しかし、第２実施例の変形例として、図７に示すように係止形状部８０を第一首部８２と第二首部８４とが概ね９０°をなすように形成してもよい。なお、第一首部８２と第二首部８４とは９０°、１８０°以外にも任意の角度に形成してもよい。これにより、吸気管１１および機能部品２０の形状あるいは配置を考慮して適切な位置に第二首部８４を形成することができる。
【００２７】
また、第２実施例では、第一首部８２の延長線上に第二首部８４を形成している。しかし、吸気管１１の中心軸方向において第一首部８２と第二首部８４とをずらして形成してもよい。
【００２８】
（第３実施例）
本発明の第３実施例による吸気装置を図８に示す。なお、第１実施例と実質的に同一の構成部位には同一の符号を付し、説明を省略する。
第３実施例の場合、図８に示すように係止形状部９０の第一頭部９３は吸気管１１の中心軸に沿った方向へ伸びて形成されている。第一首部９２は、第一頭部９３の形状に対応して吸気管１１の中心軸に沿った方向へ伸びている。また、図９に示すように、吸気管１１の中心軸方向に複数の第一首部９４を形成し、胴部９１と第一頭部９３とを第一首部９４により複数の位置で接続してもよい。
第３実施例では、係止形状部９０の第一頭部９３が拡大されるため、機能部品２０をより強固に吸気管１１に固定することができる。
【００２９】
（第４実施例）
本発明の第４実施例による吸気装置を図１０に示す。なお、第１実施例と実質的に同一の構成部位には同一の符号を付し、説明を省略する。
第４実施例の場合、図１０に示すように機能部品２０の腕部２２は第二穴部２３に加えて拡大穴部２４を有している。第二穴部２３は腕部２２の板厚方向の途中まで形成され、第二穴部２３の反第一穴部側の端部に拡大穴部２４が接続されている。すなわち、腕部２２に形成される穴部は段差を有している。これにより、半中空部材３０の第一穴部３２ならびに機能部品２０の第二穴部２３に対応する位置に係止形状部６０の第一首部６２が形成され、拡大穴部２４に対応する位置に係止形状部６０の第一頭部６３が形成される。
【００３０】
第４実施例では、係止形状部６０の第一頭部６３は機能部品２０の腕部２２に埋没し、腕部２２の外側には突出していない。また、腕部２２の内壁と第二穴部２３および拡大穴部２４に充填される二次成形樹脂とが接触する面積が拡大する。そのため、腕部２２を二次成形樹脂と溶着可能な樹脂で成形する場合、溶着面積が拡大する。したがって、腕部２２と係止形状部６０とを確実かつ強固に溶着することができる。
【００３１】
以上説明した複数の実施例では、吸気管の一方の側に機能部品を設置する吸気装置に本発明を適用する例について説明した。しかし、機能部品を吸気管の両方あるいは縁部の反吸気通路側に機能部品を設置する吸気装置にも本発明を適用することができる。また、個別に説明した複数の実施例を組み合わせて適用してもよい。
【図面の簡単な説明】
【図１】図２のＩ−Ｉ線で切断した断面図である。
【図２】本発明の第１実施例による吸気装置を図１の矢印ＩＩ方向から見た模式図である。
【図３】本発明の第１実施例による吸気装置の吸気管および機能部品を示す断面図である。
【図４】本発明の第１実施例による吸気装置を構成する吸気管および機能部品と、治具とを示す断面図である。
【図５】本発明の第１実施例による吸気装置において、吸気管および機能部品に治具を取り付け二次成形樹脂を充填した状態を示す断面図である。
【図６】本発明の第２実施例による吸気装置を示す断面図である。
【図７】本発明の第２実施例による吸気装置の変形例を示す断面図である。
【図８】本発明の第３実施例による吸気装置であって、図１に対応する模式図である。
【図９】本発明の第３実施例による吸気装置の変形例であって、図１に対応する模式図である。
【図１０】本発明の第４実施例による吸気装置を示す断面図である。
【符号の説明】
１０    吸気装置
１１    吸気管（筒状部）
２０    機能部品
２２    腕部
２３    第二穴部
３０    半中空部材（一次成形部材）
３２    第一穴部
４０    半中空部材（一次成形部材）
５１    充填部
６０、９０    係止形状部
６１、９１    胴部
６２、８２、９２、９４    第一首部
６３、８３、９３    第一頭部
８０    係止形状部
８１    胴部
８４    第二首部
８５    第二頭部
【図１】
2004245102.tif 000003
【図２】
2004245102.tif 000004
【図３】
2004245102.tif 000005
【図４】
2004245102.tif 000006
【図５】
2004245102.tif 000007
【図６】
2004245102.tif 000008
【図７】
2004245102.tif 000009
【図８】
2004245102.tif 000010
【図９】
2004245102.tif 000011
【図１０】
2004245102.tif 000012